(57)【特許請求の範囲】
【請求項１】
外層、及び内容物が収容されると共に内容物の減少に伴い減容変形する可撓性に富む内層を備え、前記外層の内面に前記内層が剥離可能に積層された有底筒状の積層ボトルであって、
前記外層のうちボトル底部に位置する部分には、前記内層を挟み込んで一体的に保持する保持リブが形成され、
前記外層の一部には、前記内層との間に外気を吸入させる吸入溝が形成され、
前記保持リブは、前記ボトル底部に沿って延びると共にボトル径方向に沿って延びるように形成され、そのリブ長さは前記ボトル底部の直径の少なくとも半分以上の長さとされ、
前記吸入溝は、前記外層のうちボトル底部に位置する部分において、前記保持リブの延長線上に形成されていることを特徴とする積層ボトル。
【請求項２】
請求項１に記載の積層ボトルにおいて、
前記ボトル底部は、
外周縁部に位置する接地部と、
該接地部にボトル径方向の内側から連なり、ボトル内側に底上げされた陥没凹部と、を備え、
前記保持リブ及び前記吸入溝は、前記陥没凹部に形成されていることを特徴とする積層ボトル。
【請求項３】
請求項１又は２に記載の積層ボトルにおいて、
前記外層及び前記内層は、それぞれの周方向の一部同士が固着部を介して固着され、
前記固着部は、ボトル軸を挟んで前記保持リブとはボトル径方向の反対側に位置していることを特徴とする積層ボトル。
【発明の詳細な説明】
【技術分野】
【０００１】
本発明は、積層ボトルに関するものである。
【背景技術】
【０００２】
従来から、外層と、内容物が収容されると共に該内容物の減少に伴い減容変形する可撓性に富む内層と、を備え、内層が外層の内面に剥離可能に積層された積層ボトルが知られている。
ところで、この種の積層ボトルに、例えば積層ボトルの底部に向けて延びる吸い上げパイプを有するポンプ及び押下ヘッドを具備する吐出器を組み合わせて吐出容器を構成した場合、内容物の吐出に伴って内層が上方にせり上がる（浮き上がる）ように減容変形して、吸い上げパイプの吸い上げ口を塞いでしまう可能性があり、吐出不良や内容物の残量増加を招いてしまうおそれがあった。
そこで、積層ボトルにおけるボトル底部において、外層と内層とを一体的に保持する係止部を設け、減容変形時に内層の上記浮き上がりを抑制した積層ボトルが知られている（特許文献１参照）。
【先行技術文献】
【特許文献】
【０００３】
【特許文献１】特許第３１２４６２０号公報
【発明の概要】
【発明が解決しようとする課題】
【０００４】
しかしながら、上記特許文献１に記載の積層ボトルであっても、内層の保持が十分ではなく、減容変形に伴って内層が浮き上がってしまう場合があり、依然として吐出不良等を招くおそれが残されていた。
【０００５】
この発明は、このような事情を考慮してなされたもので、その目的は、内層の浮き上がりを効果的に抑制することができる積層ボトルを提供することである。
【課題を解決するための手段】
【０００６】
上記の目的を達成するために、この発明は以下の手段を提供している。
（１）本発明に係る積層ボトルは、外層、及び内容物が収容されると共に内容物の減少に伴い減容変形する可撓性に富む内層を備え、前記外層の内面に前記内層が剥離可能に積層された有底筒状の積層ボトルであって、前記外層のうちボトル底部に位置する部分には、前記内層を挟み込んで一体的に保持する保持リブが形成され、前記外層の一部には、前記内層との間に外気を吸入させる吸入溝が形成され、前記保持リブは、前記ボトル底部に沿って延びると共にボトル径方向に沿って延びるように形成され、そのリブ長さは前記ボトル底部の直径の少なくとも半分以上の長さとされ、前記吸入溝は、前記外層のうちボトル底部に位置する部分において、前記保持リブの延長線上に形成されていることを特徴とする。
【０００７】
本発明に係る積層ボトルによれば、吸入溝を通じて外層と内層との間に外気を吸入させることができるので、内層だけを外層から剥離させて減容変形（しぼみ変形）させることができ、これにより内容物を例えば吐出させることができる。この際、積層ボトルを構成する外層のうちボトル底部に位置する部分には、内層を挟み込んで一体的に保持する保持リブが形成されているので、減容変形時に内層が浮き上がってしまうことを防止できる。しかも、この保持リブのリブ長さは、ボトル底部の直径の半分以上の長さとされているので、内層の底部部分を広範囲に亘って確実に保持できる。
従って、内層の浮き上がりを効果的に抑制でき、例えばこの積層ボトルに、ボトル底部付近まで延びる吸い上げパイプを有する吐出器を装着したとしても、その吸い上げ口を内層が塞いでしまうことを防止できる。従って、吐出不良や内容物の残量増加等を招いてしまうことを防止することができる。
【０００８】
更に、保持リブによって内層の底部部分を広範囲に亘って保持できるので、保持されていない内層の底部部分の残りの部分（浮き上がり可能範囲）を極力狭くすることができる。従って、内容物が内層の底部に溜まったまま、内層と共に浮き上がってしまうことを抑制でき、この点においても残量減の効果を期待できる。
【００１０】
さらに、保持リブがボトル軸を中心としたボトル径方向に沿って形成されているので、積層ボトルの製造時、この保持リブを外層に容易に形成し易くなるうえ、内層を容易に挟み込んで確実に保持させ易い。しかも、保持リブの延長線上に吸入溝を形成させれば良いので、保持リブと吸入溝とを同時に作り込み易い。
また、吸入溝がボトル底部に形成されているので、この吸入溝を隠すことができ、ボトル胴部を全周に亘って平滑面にすることが可能である。従って、見栄え（視認性）の低下や加飾性の低下を防止できる。
【００１１】
（２）上記本発明に係る積層ボトルにおいて、前記ボトル底部は、外周縁部に位置する接地部と、該接地部にボトル径方向の内側から連なり、ボトル内側に底上げされた陥没凹部と、を備え、前記保持リブ及び前記吸入溝は、前記陥没凹部に形成されていることが好ましい。
【００１２】
この場合には、保持リブ及び吸入溝がボトル底部のうち底上げされた陥没凹部に形成されているので、保持リブをボトル外側に向けて突出するように形成したとしても、積層ボトルを安定して載置することができる。また、吸入溝を通じた外気の吸入が阻害され難いうえ、吸入溝を通じて水分や塵埃等が外層と内層との間に入り込み難い。
【００１３】
（３）上記本発明に係る積層ボトルにおいて、前記外層及び前記内層は、それぞれの周方向の一部同士が固着部を介して固着され、前記固着部は、ボトル軸を挟んで前記保持リブとはボトル径方向の反対側に位置していることが好ましい。
【００１４】
この場合には、ボトル軸を挟んでボトル径方向の反対側に位置している、保持リブと固着部とによって内層が外層に保持されることになるので、減容変形に伴って内層をボトル中心付近で平たくきれいに潰すことが可能となる。従って、より一層、内容物の残量を低減させることができる。
【発明の効果】
【００１５】
本発明に係る積層ボトルによれば、内層の浮き上がりを効果的に抑制でき、吐出不良や内容物の残量増加等を招いてしまうことを防止することができる。
【図面の簡単な説明】
【００１６】
【図１】本発明に係る積層ボトルの実施形態を示す図であって、吐出器が装着されている状態における側面図（一部断面）である。
【図２】図１に示す積層ボトルの側面図（一部断面）である。
【図３】図２に示すＡ−Ａ断面図である。
【図４】図２に示す積層ボトルにおけるボトル底部の平面図である。
【図５】図４に示すボトル底部のＢ−Ｂ断面図である。
【図６】図５に示す保持リブのＣ−Ｃ断面図である。
【発明を実施するための形態】
【００１７】
以下、本発明に係る積層ボトルの実施形態について、図面を参照して説明する。
（積層ボトルの構成）
図１〜図３に示すように、本実施形態の積層ボトル１は、外層２、及び図示しない内容物が収容されると共に内容物の減少に伴い減容変形（しぼみ変形）する可撓性に富む内層３を備え、外層２の内面に内層３が剥離可能に積層された有底筒状のデラミボトル（積層剥離型容器）とされている。
なお、外層２及び内層３は、例えば、ポリエチレンテレフタレート樹脂やポリエチレンナフタレート樹脂等のポリエステル樹脂、又は、ポリエチレン樹脂やポリプロピレン樹脂等のポリオレフィン樹脂、ナイロン等のポリアミド樹脂、エチレンビニルアルコール共重合成樹脂等を用い、外層２と内層３とが剥離可能（相溶性がない）となる組み合わせで形成される。
【００１８】
この積層ボトル１は、ボトル口部１０、ボトル胴部１１及びボトル底部１２がボトル軸Ｏ方向に沿ってこの順に連設されている。なお、本実施形態では、ボトル軸Ｏに沿ってボトル口部１０側を上側、ボトル底部１２側を下側といい、また、ボトル軸Ｏに直交する方向をボトル径方向という。
【００１９】
ボトル口部１０には、図１に示すように、例えば吐出器２０が装着される。この吐出器２０は、例えばポンプを利用して内容物を吐出させるポンプタイプの吐出器であって、吐出器本体２１と、この吐出器本体２１をボトル口部１０に螺着する装着キャップ２２と、を備えている。
【００２０】
吐出器本体２１は、上方付勢状態で押し込み可能に起立したステム２３を有するポンプ部と、このステム２３の上端部に装着された押下ヘッド２５と、を備えている。
ポンプ部は、ステム２３の押し込みによって内容物を送り出す送出器であり、装着キャップ２２に一体的に組み付けられたシリンダ筒２６と、このシリンダ筒２６内に上下動可能に挿入された図示しないピストン筒と、を有しており、このピストン筒の上部に上記ステム２３が連通状態で取付けられている。なお、ピストン筒及びステム２３は、図示しないコイルバネによって常時、上方付勢されている。また、上記シリンダ筒２６の下端部には、積層ボトル１のボトル底部１２付近まで延びる吸い上げパイプ２７が取付けられている。
【００２１】
上記押下ヘッド２５は、ステム２３を下方に押し込み操作する有頂筒状の操作部材である。この押下ヘッド２５には、ステム２３に連通すると共に、ボトル径方向の外側に開口した吐出口２８ａを有する吐出ノズル２８が形成されている。
【００２２】
ボトル底部１２は、図２〜図５に示すように、ボトル胴部１１に連設され、外周縁部に位置する接地部１２ａと、この接地部１２ａにボトル径方向の内側から連なり、ボトル内側に底上げされた陥没凹部１２ｂと、を備えている。
【００２３】
ところで、積層ボトル１を構成する外層２のうち、ボトル底部１２に位置する部分には、内層３を挟み込んで一体的に保持する保持リブ３０と、外層２と内層３との間に外気を吸入させる吸入溝３１と、がそれぞれ形成されている。
【００２４】
具体的には、図４及び図５に示すように、保持リブ３０及び吸入溝３１は、ボトル底部１２における陥没凹部１２ｂに形成されている。このうち保持リブ３０は、接地部１２ａからボトル径方向の内側に向かって、このボトル径方向に沿って延びるように形成され、そのリブ長さＬ１はボトル底部１２の直径Ｌ２の２／３程度の長さとされている。
また、この保持リブ３０は、陥没凹部１２ｂから下方に向かって（ボトル外側に向かって）突出するように形成されており、そのリブ高さは陥没凹部１２ｂの凹み内に収まる程度とされている。これにより、保持リブ３０に邪魔されることなく、接地部１２ａを介して積層ボトル１を安定して載置することが可能とれている。
【００２５】
なお、この保持リブ３０は、例えばブロー成形により外層２と内層３とを積層剥離可能状態で成形した後、図６に示すように、内層３の底部部分の一部を挟み込んだ状態でボトル径方向の両側から外力を加えられることで接着されて形成される。
つまり、ブロー成形の際に金型のピンチオフ部で保持リブ３０該当部分を挟み込むことで形成されることが好ましく、この場合には保持リブ３０が金型のパーティングライン上に形成されている。なお、保持リブ３０の形成時、より好ましくは、ピンチオフ部に突設されたピンを利用して、横穴状の凹孔３２を、その開口方向が交互に逆向きとなるように保持リブ３０の延在方向に沿って複数形成すると良い。こうすることで、外層２と内層３とが圧着された圧着部３３（食い込み部）を保持リブ３０に沿って交互に配置させることができ、内層３の保持の信頼性を効果的に高めることができる。
【００２６】
また、吸入溝３１は、図４に示すように、上記保持リブ３０の延長線上に沿って形成されたスリットであり、保持リブ３０と接地部１２ａとの間に位置している。
【００２７】
上述したように、内層３は保持リブ３０に保持されることで外層２に一体化されているが、図２及び図３に示すように、さらに外層２と内層３とは固着部３５を介してそれぞれ周方向の一部同士が固着されている。この固着部３５は、例えば接着層であり、外層２に対して内層３を剥離不能に接着している。
図示の例では、固着部３５は、ボトル軸Ｏを挟んで保持リブ３０とはボトル径方向の反対側に位置した部分において、ボトル胴部１１の略全長に亘って上下方向に帯状に延びるように形成されている。
【００２８】
（積層ボトルの作用）
次に、このように構成された積層ボトル１に装着された吐出器２０を利用して、内容物を吐出する場合について説明する。
この場合には、押下ヘッド２５の押し下げ操作によってステム２３を押し下げ、吸い上げパイプ２７の下端に開口した吸い上げ口２７ａから内層３に収容されている内容物を吸い上げる。すると、この吸い上げられた内容物は、ステム２３を通じて、押下ヘッド２５の吐出ノズル２８内に噴出される。これにより、吐出ノズル２８の吐出口２８ａを通じて、外部に向けて内容物を吐出させることができる。
【００２９】
ところで、内容物が吸い上げられた際、図２に示すように、内層３は減容変形するので、内層３と外層２との間に負圧が生じる。そのため、吸入溝３１を通じて外層２と内層３との間に外気が吸入される。これにより、内容物の吐出に伴って、外層２を変形させることなく内層３だけを外層２から剥離させて減容変形させることができる。
このとき、外層２における陥没凹部１２ｂに位置する部分には、内層３を挟み込んで一体的に保持する保持リブ３０が形成されているので、上記減容変形時に内層３が浮き上がってしまうことを防止できる。しかも、保持リブ３０のリブ長さＬ１は、ボトル底部１２の直径Ｌ２の２／３程度の長さとされているので、内層３の底部部分を広範囲に亘って保持することができる。
【００３０】
従って、内層３の浮き上がりを効果的に抑制でき、吸い上げパイプ２７の吸い上げ口２７ａを内層３が塞いでしまうことを防止することができる。従って、吐出不良や内容物の残量増加等を招いてしまうことを防止することができる。
更に、保持リブ３０によって内層３の底部部分を広範囲に亘って保持できるので、保持されていない内層３の底部部分の残り部分（浮き上がり可能範囲）を極力狭くすることができる。従って、内容物が内層３の底部に溜まったまま、内層３と共に浮き上がってしまうことを抑制でき、この点においても残量減の効果を期待できる。
【００３１】
また、ボトル軸Ｏを挟んでボトル径方向の反対側に位置している、保持リブ３０と固着部３５とによって内層３が外層２に保持されるので、減容変形に伴って内層３をボトル中心付近で平たくきれいに潰すことが可能となる。従って、より一層、内容物の残量を低減させることができる。
なお、内層３が積層ボトル１の片側に片寄って潰れた場合には、吸い上げパイプ２７を側方に押し曲げてしまう可能性があるが、本実施形態の場合にはこのような不具合を招き難い。
【００３２】
更に、保持リブ３０及び吸入溝３１が陥没凹部１２ｂに形成されているので、保持リブ３０に邪魔されることなく積層ボトル１を安定して載置することができる。また、吸入溝３１を通じた外気の吸入が阻害され難いうえ、吸入溝３１を通じて水分や塵埃等が外層２と内層３との間に入り込み難い。
【００３３】
なお、本発明の技術範囲は、上記実施形態に限定されるものではなく、本発明の趣旨を逸脱しない範囲において、種々の変更を加えることが可能である。
【００３４】
例えば、外層２をスクイズ変形可能な容器とし、この外層２のスクイズ変形によって内層３を減容変形させても構わない。
また、保持リブ３０をボトル径方向に沿って延びるように形成し、吸入溝３１を保持リブ３０の延長線上に位置するように形成したが、この場合に限定されることはない。但し、保持リブ３０をボトル径方向に沿って延びるように形成する場合には、積層ボトル１の製造時、保持リブ３０を外層２に容易に形成し易くなるうえ、内層３を容易に挟み込んで確実に保持させ易くなる。
【００３５】
また、吸入溝３１についても、保持リブ３０の延長線上に形成した場合には、保持リブ３０と吸入溝３１とを同時に作り込み易くなるので、好ましい。なお、吸入溝３１は、例えば保持リブ３０と平行になるように陥没凹部１２ｂに形成しても構わないし、さらにはボトル胴部１１に形成しても構わない。但し、陥没凹部１２ｂに吸入溝３１を形成することで、吸入溝３１を隠すことができ、ボトル胴部１１を全周に亘って平滑面にすることが可能である。よって、見栄え（視認性）の低下や加飾性の低下を防止できる。
【００３６】
また、保持リブ３０のリブ長さＬ１をボトル底部１２の直径Ｌ２の２／３程度の長さとしたが、少なくとも直径Ｌ２の半分以上の長さであれば良い。
（実施例）
ここで、上記実施形態に基づいて内容物の吐出試験を実際に行った実施例について説明する。本発明に係る実施例として、保持リブ３０のリブ長さＬ１をボトル底部１２の直径Ｌ２の２／３程度の長さとした。これに対する比較例として、保持リブ３０のリブ長さＬ１をボトル底部１２の直径Ｌ２の１／３程度の長さとした。そして、いずれの場合にも、内容物の収容量を４００ｇとし、上記した吐出器２０を利用して内容物の吐出が行われなくなるまで吐出を行った後、内層３に残った内容物の残量を確認した。
【００３７】
その結果、実施例の場合では残量が平均２１ｇであったのに対し、比較例の場合では残量が平均３０ｇであった。このことから、本発明に係る保持リブ３０が、内容物の残量減に効果的であることが実際に確認できた。
【符号の説明】
【００３８】
Ｏ…ボトル軸
Ｌ１…リブ長さ
１…積層ボトル
２…外層
３…内層
１１…ボトル胴部
１２…ボトル底部
１２ａ…接地部
１２ｂ…陥没凹部
３０…保持リブ
３１…吸入溝
３５…固着部
【図１】
0005961449.tif 000002
【図２】
0005961449.tif 000003
【図３】
0005961449.tif 000004
【図４】
0005961449.tif 000005
【図５】
0005961449.tif 000006
【図６】
0005961449.tif 000007